(57)【要約】【課題】  微細形状のＩＣチップを基材シートに容易に実装してＩＣタグ付シートを得ること。【解決手段】  破断容易線２４を介して連結された複数のＩＣチップ２０を有するスティック状ＩＣチップ体１０が、直線状ホルダ３６により収納保持され、直線状ホルダ３６と保持ブタ３７とにより狭持される。スティック状ＩＣチップ体１０がエアチャック４０ａの把持手段４０により把持され、エアチャック４０ａが駆動モータ４２により基材シート１１側へ送られる。直線状ホルダ３６がホルダ駆動部３５により降下し、直線状ホルダ３６内に保持されたＩＣチップ体１０の先端のＩＣチップ２０が基材シート１１に押付けられる。このとき、ＩＣチップ体１０の先端側のＩＣチップ２０がＩＣチップ体１０から分離し、分離されたＩＣチップ１０が基材シート１１上に配置し固定される。【選択図】  図１
2005215746.tif 000002
【特許請求の範囲】
【請求項１】
アンテナ回路または拡大電極を有する基材シートを支持する基材シート支持部と、
破断容易線を介して連結された複数のＩＣチップからなるスティック状ＩＣチップ体を収納保持する直線状ホルダと、
直線状ホルダ内のスティック状ＩＣチップ体を把持して直線状ホルダの直線方向に移動し、スティック状ＩＣチップ体をＩＣチップ一個分だけ突出させる把持手段と、
直線状ホルダを基材シート支持部に対して接近させ、直線状ホルダ内の先頭に位置するＩＣチップを基材シートに押付けてスティック状ＩＣチップ体から分離して基材シートのアンテナ回路または拡大電極上に配置するホルダ駆動部と、
を備えたことを特徴とする非接触ＩＣタグ付シートの製造装置。
【請求項２】
直線状ホルダ上に、直線状ホルダとの間でスティック状ＩＣチップ体を保持する保持ブタを設けたことを特徴とする請求項１記載の非接触ＩＣタグ付シートの製造装置。
【請求項３】
保持ブタは直線状ホルダに対して揺動自在に設けられ、かつ保持ブタは直線状ホルダに対してスプリングにより押圧されていることを特徴とする請求項２記載の非接触ＩＣタグ付シートの製造装置。
【請求項４】
スプリングはエアシリンダによりその付勢力が調整可能となっており、ホルダ駆動部により直線状ホルダが基材シート支持部に対して接近する場合、スプリングはエアシリンダによりその付勢力が大きくなり、把持手段によりスティック状ＩＣチップ体が直線状ホルダ内で直線方向に移動する場合、スプリングはエアシリンダにより付勢力が小さくなることを特徴とする請求項３記載の非接触ＩＣタグ付シートの製造装置。
【発明の詳細な説明】
【技術分野】
【０００１】
本発明は、外部のリーダ・ライタと非接触でデータの授受を行うことができるＩＣタグ付シートの製造装置に関する。
【背景技術】
【０００２】
従来より外部のリーダ・ライタと非接触ＩＣタグは、ＩＣチップとアンテナ回路または拡大電極とを有している。このような非接触ＩＣタグは包材等の製品（基材シート）に多数連続して配置され、このようにして非接触ＩＣタグ付シートが得られる。
【発明の開示】
【発明が解決しようとする課題】
【０００３】
上述のように、ＩＣチップとアンテナ回路または拡大電極とを有する非接触ＩＣタグは、包材等の基材シートに多数連続して設けられている。ところで、近年ＩＣチップの小型化がすすみ、非接触ＩＣタグ付シートが小型のＩＣチップ（例えば０．３×０．３×０．２ｍｍ形状のＩＣチップ）を有する場合がある。
【０００４】
しかしながら、このように小型化されたＩＣチップは取り扱いがむずかしく、ＩＣチップを一つ一つ保持して基材シートに実装していく作業は困難となっている。
【０００５】
本発明はこのような点を考慮してなされたものであり、基材シートに対して小型のＩＣチップを容易に実装してＩＣタグ付シートを得ることができるＩＣタグ付シートの製造装置を提供することを目的とする。
【課題を解決するための手段】
【０００６】
本発明は、アンテナ回路または拡大電極を有する基材シートを支持する基材シート支持部と、破断容易線を介して連結された複数のＩＣチップからなるスティック状ＩＣチップ体を収納保持する直線状ホルダと、直線状ホルダ内のスティック状ＩＣチップ体を把持して直線状ホルダの直線方向に移動し、スティック状ＩＣチップ体をＩＣチップ一個分だけ突出させる把持手段と、直線状ホルダを基材シート支持部に対して接近させ、直線状ホルダ内の先頭に位置するＩＣチップを基材シートに押付けてスティック状ＩＣチップ体から分離して基材シートのアンテナ回路または拡大電極上に配置するホルダ駆動部と、を備えたことを特徴とする非接触ＩＣタグ付シートの製造装置である。
【０００７】
本発明は、直線状ホルダ上に、直線状ホルダとの間でスティック状ＩＣチップ体を保持する保持ブタを設けたことを特徴とする非接触ＩＣタグ付シートの製造装置である。
【０００８】
本発明は、保持ブタは直線状ホルダに対して揺動自在に設けられ、かつ保持ブタは直線状ホルダに対してスプリングにより押圧されていることを特徴とする非接触ＩＣタグ付シートの製造装置である。
【０００９】
本発明は、スプリングはエアシリンダによりその付勢力が調整可能となっており、ホルダ駆動部により直線状ホルダが基材シート支持部に対して接近する場合、スプリングはエアシリンダによりその付勢力が大きくなり、把持手段によりスティック状ＩＣチップ体が直線状ホルダ内で直線方向に移動する場合、スプリングはエアシリンダにより付勢力が小さくなることを特徴とする非接触ＩＣタグ付シートの製造装置である。
【発明の効果】
【００１０】
本発明によれば、複数のＩＣチップからスティック状ＩＣチップ体を作製し、このスティック状ＩＣチップ体をＩＣチップ毎に分離して基材シートに実装するので、微細形状のＩＣチップであっても、基材シートに対し容易かつ確実に実装することができる。
【発明を実施するための最良の形態】
【００１１】
以下、図面を参照して本発明の実施の形態について説明する。
【００１２】
図１乃至図１０は本発明による非接触ＩＣタグ付シートの製造装置の実施の形態を示す図である。
【００１３】
まず、図３および図４により非接触ＩＣタグ付きシート１について説明する。  図３および図４に示すように、ＩＣタグ付シート１は包材等の帯状基材シート１１と、基材シート１１に設けられ、端部１４ａを有するアンテナ回路１４と、基材シート１１上に配置されアンテナ回路１４の端部１４ａに接続された微小形状のＩＣチップ２０（０．３×０．３×０．２ｍｍ形状）とを備えている。
【００１４】
このうち基材シート１１は上述のように包材等からなり、アンテナ回路１４は帯状基材シート１１上に連続して複数設けられ、このアンテナ回路１４上にＩＣチップ２０が保護層１９を介して配置されている。そしてＩＣチップ２０とアンテナ回路１４とによって、外部のリーダ・ライタと非接触でデータの授受を行う非接触タグ２０ａが構成されている。
【００１５】
また、ＩＣチップ２０とアンテナ回路１４とからなる非接触タグ２０ａは、帯状基材シート１１上に多数一列に並んで設けられているが、多列に並んで設けてもよい。なお、アンテナ回路１４の代わりに、拡大電極を設けてもよい。この拡大電極には後工程でアンテナが接続される。
【００１６】
基材シート１１の材料は特に限定されないが、合成樹脂、または紙などが用いられる。
【００１７】
また、ＩＣチップ２０は、その底面に先端が突出した電極２１を有し、ＩＣチップ２０の底面の電極２１は先端の突起により保護層１９を貫通してアンテナ回路１４の端部１４ａに接続される。
【００１８】
さらに基材シート１１上に、ＩＣチップ２０を覆ってカバーフィルム３２が設けられている。
【００１９】
次に各構成部材の材料について述べる。
【００２０】
基材シート１１は上述のように、合成樹脂または紙からなり、アンテナ回路１４は金属箔や導電インキからなっている。さらにアンテナ回路１４を覆う保護層１９は樹脂インキ等からなっている。またカバーフィルム３２は樹脂フィルムからなっている。
【００２１】
このようにして得られた非接触ＩＣタグ付シート１の非接触ＩＣタグ２０ａは、外部のリーダ・ライタとの間で非接触でデータの授受が行われる。
【００２２】
次に非接触ＩＣタグ付シートの製造装置について説明する。
【００２３】
非接触ＩＣタグ付シートの製造装置は、図１および図７乃至図１０に示すように、アンテナ回路１４を有する基材シート１１を支持する基材シート支持部２５と、基材シート支持部２５の上方に配置され、破断容易線２４を介して連結された複数のＩＣチップ２０を有するスティック状ＩＣチップ体１０を収納保持する直線状ホルダ３６とを備えている。
【００２４】
このうち基材シート支持部２５は、フレーム２６上に固着され、一方、直線状ホルダ３６は取付部３６ａおよび保持部３５ａを介してエアシリンダからなるホルダ駆動部３５に取り付けられている（図７参照）。ホルダ駆動部３５はフレーム２６に支持されており、ホルダ駆動部３５により直線状ホルダ３６が上下方向に移動し、直線ホルダ３６が基材シート支持部２５に対して離接する。
【００２５】
また、図８および図１０に示すように、直線状ホルダ３６の側方には、把持手段４０が設けられている。この把持手段４０は直線状ホルダ３６内のスティック状ＩＣチップ体１０を把持して直線方向に移動し、ＩＣチップ体１０をＩＣチップ２０の一個分だけ直線状ホルダ３６から突出させるものである。
【００２６】
すなわち、把持手段４０はエア駆動部４１とともにエアチャック４０ａを構成し、エア駆動部４１により把持手段４０の開閉動作が行われる。また、エア駆動部４１は、予圧シリンダ４３を介して駆動モータ４２に連結されている。駆動モータ４２は直線ホルダ３６に固定され、エア駆動部４１を直線ホルダ３６の直線方向に移動させることにより、スティック状ＩＣチップ体１０を把持する把持手段４０を直線状ホルダ３６の直線方向に移動させることができる。
【００２７】
なお、上記した予圧シリンダ４３は、駆動モータ４２のバックラッシュを防止するものであり、これら予圧シリンダ４３と駆動モータ４２とにより、把持手段４０を直線状ホルダ３６の直線方向に精度良く所定距離だけ移動させ、スティック状ＩＣチップ体１０をＩＣチップ１個分だけ高精度に直線ホルダ３６から突出させることができる。
【００２８】
ところで、図９に示すように、直線状ホルダ３６上には、直線状ホルダ３６内に保持されたスティック状ＩＣチップ体１０を保持する保持ブタ３７が取り付けられている。この保持ブタ３７は窓３７ａを有するとともに、直線状ホルダ３６に揺動軸３８を介して揺動自在に取付けられており、直線状ホルダ３６との間でＩＣチップ体１０を挟持するようになっている。
【００２９】
また保持ブタ３７にはスプリング３９を収納するスプリングボックス３９ａが設けられ、スプリング３９は直線状ホルダ３６上に支持されたエアシリンダ４５によってその付勢力が調整されるようになっている。
【００３０】
すなわち、後述のようにホルダ駆動部３５によって直線状ホルダ３６が基材シート部２５に対して接近しスティック状ＩＣチップ体１０が基材シート１１に押し付けられる場合、制御部４７によってエアシリンダ４５が作動し、スプリング３９の付勢力が大きくなる。この場合、スプリング３９によって保持ブタ３７が直線状ホルダ３６に強く押し付けられる。
【００３１】
一方、把持手段４０によりスティック状ＩＣチップ体１０が直線ホルダ３６内で直線方向に移動して、スティック状ＩＣチップ体１０を直線状ホルダ３６から外方へ突出させる場合、制御部４７によってエアシリンダ４５が作動し、スプリング３９の付勢力が小さくなる。この場合、スプリング３９によって保持ブタ３７が直線状ホルダ３６に弱く押し付けられる。このため、直線状ホルダ３６内でスティック状ＩＣチップ体１０をスムースに直線方向に移動させることができる。
【００３２】
次に非接触タグ付シートの製造方法について述べる。本発明においては、まず破断容易線２４を介して連結された複数のＩＣチップ２０を有するスティック状ＩＣチップ体１０を準備する（図５）。
【００３３】
すなわち、まず図２に示すように、ウエハＷ上に電極２１を設けておき、このウエハＷをダイシング装置３３によりスティック状に切断してスティック状ＩＣチップ体１０を得る。この場合、ウエハＷの下面には、予め支持材２２が接着して配置されており、ウエハＷを切断する際、同時に支持材２２も切断される。
【００３４】
このためスティック状ＩＣチップ体１０は、支持材２２と、支持材２２上に接着され、破断容易線２４により分離された多数のＩＣチップ２０とを有している。ＩＣチップ２０は支持材２２上において一列に多数は位置され、破断容易線２４はＩＣチップ２０を互いに完全に分離するとともに、支持材２２まで延びている  但し、スティック状ＩＣチップ体１０は、支持材２２を有していなくてもよく、この場合破断容易線２４は各ＩＣチップ２０を完全に分離することなく、各ＩＣチップ２０は部分的に連結している。
【００３５】
このようにして得られたスティック状ＩＣチップ体１０は図１に示す直線状ホルダ３６内に収納保持され、スティック状ＩＣチップ体１０から分離されたＩＣチップ２０が一つ一つ基材シート１１上に実装される。
【００３６】
次にＩＣチップ２０の実装作業について説明する。まず図１において、基材シート支持部２５上に基材シート１１が供給される。この場合、基材シート支持部２５上の基材シート１１上には、予めアンテナ回路１４と、アンテナ回路１４を覆う保護層１９が設けられている。
【００３７】
基材シート支持部２５上に基材シート１１がくると、基材シート１１の供給が停止する。
【００３８】
次にエアチャック４０ａのエア駆動部４１により把持手段４０が閉となって、直線状ホルダ３６内に収納保持されたスティック状ＩＣチップ体１０が把持される。
【００３９】
その後、エアチャック４０ａが駆動モータ４２により基材シート１１側へ移動し、直線状ホルダ３６内のスティック状ＩＣチップ体１０の先端部が基材シート１１側へ所定距離（ＩＣチップ２０の１個分の長さだけ）送られる。その後、直線状ホルダ３６から送り出されたスティック状ＩＣチップ体１０の先端に位置するＩＣチップ２０が基材シート１１上の保護層１９に当接する。
【００４０】
この場合、制御部４７によりエアシリンダー４５が作動して、スプリング３９の付勢力が小さくなる。このため保持ブタ３７の直線状ホルダ３６に対する押し付け力が弱くなるので、直線状ホルダ３６内のスティック状ＩＣチップ体１０をスムースに直線状ホルダ３６から突出させることができる。
【００４１】
次に制御部４７によってエアシリンダ４５が作動してスプリング３９の付勢力が大きくなる。このため直線状ホルダ３６と保持ブタ３７との間でスティック状ＩＣチップ体１０が堅固に保持される。
【００４２】
その後フレーム２６に設けられたホルダ駆動部３５により直線状ホルダ３６が降下して基材シート支持部２５側へ接近する。このことにより直線状ホルダ３６内のスティック状ＩＣチップ体１０のうち、先端に位置するＩＣチップ２０が基材シート支持部２５上の基材シート１１に対して押し付けられる。このとき支持材２２が折れてＩＣチップ体１０の先端のＩＣチップ２０が、ＩＣチップ体１０の他の部分から分離し、ＩＣチップ２０はそのまま直線状ホルダ３６によって下方へ押し付けられる。
【００４３】
この場合、ＩＣチップ２０の先端が突出した電極２１が、保護層１９およびアンテナ回路１４を貫通し、このようにしてＩＣチップ２０が基材シート１１上に固定される。
【００４４】
次に、ホルダ駆動部３５により直線状ホルダ３６が上昇して基材シート支持部２５から離れる。その後、制御部４７によりエアシリンダ４５が作動してスプリング３９の付勢力が弱まり、保持ブタ３７の直線状ホルダ３６に対する押し付く力が弱まる。この状態でエアチャック４０ａのエア駆動部４１により把持手段４０が開となり、エアチャック４０ａは駆動モータ４２により基材シート１１から離れて元の位置にくる。その後、エアチャック４０ａのエア駆動部４１により把持手段４１が閉となり、直線状ホルダ３６内に収納保持されたスティック状ＩＣチップ体１０を把持する。その後、上述した作用が繰り返される。
【００４５】
上述のように基材シート支持部２５上の基材シート１１にＩＣチップ２０が実装された後、基材シート１１上のＩＣチップ２０がカバーフィルム３２により覆われるとともに、このカバーフィルム３２は圧着ロール３１により基材シート１１上に圧着されてＩＣチップ２０を保護する。この場合、圧着ロール３１によりカバーフィルム３２を加熱圧着することにより、支持材２２を一部溶融させてＩＣチップ２０の保護材として機能させることができる。
【００４６】
このようにしてＩＣタグ付シート１を得ることができる。
【００４７】
以上のように本実施の形態によれば、破断容易線２４を介して互いに連結された複数のＩＣチップ２０からなるスティック状ＩＣチップ体１０を準備し、このＩＣチップ体１０から個々のＩＣチップ２０を分離して基材シート１１上に実装するので、個別のＩＣチップ２０を予め準備し、このＩＣチップ２０を個々に把持して基材シート１１上に実装する場合に比較して、微細形状のＩＣチップ２０を容易かつ確実に実装することができる。
【００４８】
なお、上記実施の形態において、ＩＣチップ２０が先端が突出する形状の電極２１を有する例を示したが、これに限らず図６に示すように、ＩＣチップ２０は平坦形状を有する電極２１を有してもよい。
【００４９】
図６において、基材シート１１上のアンテナ回路１４上に保護層は設けられておらず、ＩＣチップ２０は、アンテナ回路１４上に異方性導電接着フィルム１８を介して接着固定されている。
【図面の簡単な説明】
【００５０】
【図１】本発明によるＩＣタグ付シートの製造装置を示す概略図。
【図２】ウエハからスティック状ＩＣチップ体を作製する状態を示す図。
【図３】ＩＣタグ付きシートを示す平面図。
【図４】ＩＣタグ付シートを示す側面図。
【図５】スティック状ＩＣチップ体を示す側面図。
【図６】他のＩＣタグ付シートを示す図。
【図７】ＩＣタグ付シートの製造装置の詳細を示す側面図。
【図８】スティック状ＩＣチップ体を把持するエアチャックを示す平面図。
【図９】スティック状ＩＣチップ体を保持する直線状ホルダと保持ブタを示す          側面図。
【図１０】直線状ホルダと保持ブタとエアチャックを示す平面図。
【符号の説明】
【００５１】
１  ＩＣタグ付シート
１０  スティック状
１１  基材シート
１４  アンテナ回路
１４ａ  端部
１８  異方性導電接着フィルム
１９  保護層
２０  ＩＣチップ
２１  電極
２２  支持材
２４  破断容易線
２５  基材シート支持部
２８  フレーム
３１  圧着ロール
３２  カバーフィルム
３５  ホルダ駆動部
３６  直線状ホルダ
３７  保持ブタ
３９  スプリング
３９ａ  スプリングボックス
４０  把持手段
４０ａ  エアチャック
４１  エア駆動部
４２  駆動モータ
４５  エアシリンダ
４７  制御部
【図１】
2005215746.tif 000003
【図２】
2005215746.tif 000004
【図３】
2005215746.tif 000005
【図４】
2005215746.tif 000006
【図５】
2005215746.tif 000007
【図６】
2005215746.tif 000008
【図７】
2005215746.tif 000009
【図８】
2005215746.tif 000010
【図９】
2005215746.tif 000011
【図１０】
2005215746.tif 000012